(57)【要約】【課題】プラグコネクタとリセプタクルコネクタとを含んで構成されるコネクタ装置であって、全体の小型・薄型化が図られたもとにおいても、複数のリセプタクル側コンタクトの夫々の接続端子部に効果的な電磁シールド作用をもたらすものを提供する。【解決手段】プラグコネクタ（１１）の接続嵌合部（１９）が差し込まれる嵌合口部（２１）が設けられたリセプタクル側絶縁ハウジング（２０）に、各々が絶縁ハウジング（２０）の嵌合口部側からハウジング外に突出する第１の接続端子部（２７）を有した複数の第１のコンタクト（２５）と各々が絶縁ハウジング（２０）の嵌合口部側とは反対側からハウジング外に突出する第２の接続端子部（２８）を有した複数の第２のコンタクト（２６）が配列配置され、リセプタクル側導電性シェル（２４）に、第１の接続端子部（２７）の配列の外方にそれを包囲して配された端子シールド部（３３）が設けられる。【選択図】  図２
2018181701.tif 000002
【特許請求の範囲】
【請求項１】
複数のケーブルが接続される複数のプラグ側コンタクトが配列配置された接続嵌合部を有したプラグ側絶縁ハウジング、及び、上記複数のプラグ側コンタクトにおける上記複数のケーブルが接続された部分を覆うプラグ側導電性シェルを備えたプラグコネクタと、
一対の相互対向端面部を有し、該相互対向端面部の一方に上記プラグコネクタの接続嵌合部が差し込まれる嵌合口部が設けられて回路基板に配されるリセプタクル側絶縁ハウジング，該リセプタクル側絶縁ハウジングを部分的に覆って上記回路基板に接続されて接地電位が印加されるリセプタクル側導電性シェル、及び、上記リセプタクル側絶縁ハウジングに配列配置され、上記嵌合口部を通じて上記リセプタクル側絶縁ハウジングに差し込まれた上記プラグコネクタの接続嵌合部に配された複数のプラグ側コンタクトに夫々押圧接触する複数のリセプタクル側コンタクトを備え、該複数のリセプタクル側コンタクトが、各々が上記相互対向端面部の一方から上記リセプタクル側絶縁ハウジングの外部に突出して上記回路基板に接続される第１の接続端子部を有するものとされた複数の第１のコンタクトと各々が上記相互対向端面部の他方から上記リセプタクル側絶縁ハウジングの外部に突出して上記回路基板に接続される第２の接続端子部を有するものとされた複数の第２のコンタクトを含んで成るリセプタクルコネクタと、
を含んで構成され、
上記リセプタクル側導電性シェルが、上記複数の第１のコンタクトが夫々有する複数の第１の接続端子部の配列の外方に該複数の第１の接続端子部の配列を包囲して配されて、上記プラグコネクタの接続嵌合部が上記リセプタクル側絶縁ハウジングに上記嵌合口部を通じて差し込まれたとき、上記プラグ側導電性シェルに当接接触する端子シールド部を有することを特徴とするコネクタ装置。
【請求項２】
上記端子シールド部が、上記プラグ側導電性シェルに押圧当接する凸部が設けられていることを特徴とする請求項１記載のコネクタ装置。
【請求項３】
上記複数の第１のコンタクトが夫々有する複数の第１の接続端子部及び上記複数の第２のコンタクトが夫々有する複数の第２の接続端子部が、上記回路基板に設けられた端子部に接続されるもとで、上記端子シールド部が上記回路基板上に配されることを特徴とする請求項１記載のコネクタ装置。
【請求項４】
上記端子シールド部が、上記回路基板に設けられた接地導体部に半田付けされる半田付部が設けられていることを特徴とする請求項３記載のコネクタ装置。
【請求項５】
上記端子シールド部が、上記リセプタクル側導電性シェルにおける上記リセプタクル側絶縁ハウジングを部分的に覆う部分から屈曲せしめられて伸びて上記回路基板上に配されることを特徴とする請求項３記載のコネクタ装置。
【請求項６】
上記プラグコネクタが、上記プラグ側導電性シェルに対して回動可能に設けられるとともに該プラグ側導電性シェルに電気的に連結され、上記プラグコネクタの接続嵌合部が上記リセプタクル側絶縁ハウジングに上記嵌合口部を通じて差し込まれたとき、上記リセプタクル側導電性シェルに係合して上記プラグコネクタの上記リセプタクルコネクタとの嵌合状態を維持する嵌合維持部材を備え、該嵌合維持部材が、上記リセプタクル側導電性シェルに係合したとき上記リセプタクルコネクタに備えられた上記複数の第２のコンタクトが夫々有する複数の第２の接続端子部の配列を覆うカバー部を有することを特徴とする請求項１記載のコネクタ装置。
【発明の詳細な説明】
【技術分野】
【０００１】
本願の特許請求の範囲に記載された発明は、複数の同軸ケーブル等のケーブルが装着されるプラグコネクタとそのプラグコネクタの接続嵌合部の差込みがなされる嵌合口部が設けられて回路基板に取り付けられるリセプタクルコネクタとを含んで構成され、プラグコネクタに装着された複数のケーブルをリセプタクルコネクタが取り付けられた回路基板に電気的に連結された状態とするために使用されるコネクタ装置に関する。
【背景技術】
【０００２】
各種の電気信号や電圧等を伝送する複数の同軸ケーブル等のケーブルが、各々が比較的細いものであり、ケーブル群を形成するように纏められた状態をもって、各種の電気部品が取り付けられる回路基板に電気的に連結されるにあたっては、複数のケーブルの回路基板に対する電気的接続の仲介役を果たすコネクタ装置が用いられることが多い。斯かるコネクタ装置は、例えば、当該複数のケーブルが装着されるプラグコネクタと、回路基板との電気的接続がなされて配され、プラグコネクタの接続嵌合部の差込みがなされる嵌合口部が設けられたリセプタクルコネクタと、を含んで構成される。
【０００３】
このような複数のケーブルの回路基板に対する電気的連結にあたって用いられるコネクタ装置にあっては、プラグコネクタの接続嵌合部に、複数のケーブルが夫々接続される複数のプラグ側コンタクトが配列配置されて設けられ、一方、リセプタクルコネクタの嵌合口部の内側に、回路基板に設けられた配線部に接続される複数のリセプタクル側コンタクトが配列配置されて設けられる。そして、プラグコネクタの接続嵌合部がリセプタクルコネクタの嵌合口部に差し込まれたとき、複数のリセプタクル側コンタクトが、複数のプラグ側コンタクトに夫々押圧接触する状態をもって接続され、それにより、複数のケーブルが、プラグコネクタ及びリセプタクルコネクタを介して、回路基板に設けられた配線部に電気的に連結される。
【０００４】
上述のように複数のケーブルが装着されるプラグコネクタの接続嵌合部が回路基板に取り付けられるリセプタクルコネクタの嵌合口部に差し込まれるコネクタ装置においては、複数のケーブルのより一層の細線化及び回路基板のより一層の小型・軽量化に伴い、プラグコネクタ及びリセプタクルコネクタの夫々の小型・薄型化が図られることが望まれている。そのため、リセプタクルコネクタにあっては、全体の小型化が図られて複数のリセプタクル側コンタクトの配列間隔が極めて小とされたもとで、複数のリセプタクル側コンタクトの夫々が適正かつ確実に回路基板の配線部に接続されることが求められ、また、プラグコネクタにあっては、全体の小型化が図られたもとで、その接続嵌合部がリセプタクルコネクタの嵌合口部に差し込まれてリセプタクルコネクタに嵌合した状態を安定に維持できることが求められている。
【０００５】
このようなもとで、従来にあっては、プラグコネクタとリセプタクルコネクタとを含んで構成され、複数のケーブルの回路基板に対する電気的連結に用いられるコネクタ装置であって、リセプタクルコネクタが、一対の相互対向端面部の一方にプラグコネクタの接続嵌合部が差し込まれる嵌合口部が設けられて回路基板に配されるリセプタクル側絶縁ハウジングを備え、そのリセプタクル側絶縁ハウジングに配列配置された複数のリセプタクル側コンタクトが、交互に配された複数の第１のコンタクトと複数の第２のコンタクトとを含むものとされたもとで、複数の第１のコンタクトの各々の接続端子部がリセプタクル側絶縁ハウジングの相互対向端面部の一方からその外部に突出して回路基板に接続されるとともに、複数の第２のコンタクトの各々の接続端子部がリセプタクル側絶縁ハウジングの相互対向端面部の他方からその外部に突出して回路基板に接続されるものが提案されている (例えば、特許文献１参照。）。また、プラグコネクタとリセプタクルコネクタとを含んで構成され、複数のケーブルの回路基板に対する電気的連結に用いられるコネクタ装置であって、プラグコネクタが、その接続嵌合部がリセプタクルコネクタの嵌合口部に差し込まれたとき、リセプタクルコネクタに係合してプラグコネクタのリセプタクルコネクタとの嵌合状態を維持する嵌合維持手段を備えたものも提案されている（例えば、特許文献２参照。）。
【０００６】
特許文献１に示されるコネクタ装置（ケーブルコネクタ）にあっては、プラグコネクタ（P)とリセプタクルコネクタ（レセプタクルコネクタ(R))とを備えて構成されたもとにおいて、回路基板（プリント基板) に配されるリセプタクル側絶縁ハウジング（レセプタクル側保持部材(51)) における一対の相互対向端面部の一方に、プラグコネクタの接続嵌合部（プラグ突起部(15)) が差し込まれる嵌合口部（レセプタクル側空間(52)の開口部）が設けられており、リセプタクル側絶縁ハウジングに配列配置された複数のリセプタクル側コンタクトが、交互に配された複数の第１のコンタクト（レセプタクルコンタクト(50)) と複数の第２のコンタクト（レセプタクルコンタクト(50'))とを含んで成るものとされている。そして、複数の第１のコンタクトの夫々が、その接続端子部（リード部 (50c)) を、リセプタクル側絶縁ハウジングにおける一対の相互対向端面部の他方からその外部に突出して、回路基板に設けられた配線部（信号パターン）に半田付け等により電気的に接続されるものとされ、また、複数の第２のコンタクトの夫々が、その接続端子部（リード部 (50c'))を、リセプタクル側絶縁ハウジングにおける一対の相互対向端面部の一方からその外部に突出して、回路基板に設けられた配線部（信号パターン）に半田付け等により電気的に接続されるものとされている。
【０００７】
このように、回路基板に配されるリセプタクル側絶縁ハウジングに配列配置された複数のリセプタクル側コンタクトが交互に配された複数の第１のコンタクトと複数の第２のコンタクトとを含んで成り、複数の第１のコンタクトの夫々の接続端子部及び複数の第２のコンタクトの夫々の接続端子部が、リセプタクル側絶縁ハウジングにおける相互対向端面部のうちの一方及び他方から夫々その外部に突出するものとされることにより、複数のリセプタクル側コンタクトの配列間隔が極めて小なるものとされるもとにあっても、複数の第１のコンタクトの夫々の接続端子部の回路基板に設けられた配線部との接続が、複数の第２のコンタクトの夫々の接続端子部により妨げられることなく、適正に行われるとともに、複数の第２のコンタクトの夫々の接続端子部の回路基板に設けられた配線部との接続が、複数の第１のコンタクトの夫々の接続端子部により妨げられることなく、適正に行われることになる。
【０００８】
また、特許文献２に示されるコネクタ装置（電気コネクタ組立体）にあっては、プラグコネクタ（1)とリセプタクルコネクタ（2)とを備えて構成されたもとにおいて、プラグコネクタが、プラグ側導電性シェル（導電性シェル(13)) に回動可能に取り付けられ、プラグ側絶縁ハウジング（本体ハウジング(11)) に備えられた接続嵌合部（嵌合突起(11b))がリセプタクルコネクタに差し込まれてプラグコネクタがリセプタクルコネクタとの嵌合状態をとるとき、リセプタクルコネクタ側へと回動せしめられて、リセプタクル側導電性シェル（導電性シェル(23)) に設けられたロック部(23b) に係合し、それにより、プラグコネクタのリセプタクルコネクタとの嵌合状態を維持する嵌合維持部材（嵌合回動アーム(14)) を備えたものとされている。そして、嵌合維持部材には、それが、リセプタクル側導電性シェル（導電性シェル(23)) に設けられたロック部(23b) に係合して、プラグコネクタのリセプタクルコネクタとの嵌合状態を維持する状態をとるとき、リセプタクルコネクタにおけるリセプタクル側絶縁ハウジング（本体ハウジング(21)) におけるプラグ側絶縁ハウジングに備えられた接続嵌合部が差し込まれる側とは反対側の端面部からその外部に突出する、複数のリセプタクル側コンタクト（導電コンタクト(22)) の夫々における回路基板（主印刷配線基板(B))との接続部位である接続端子部（半田接続部(22a))を覆うカバー部（導電性カバー部(14d))が設けられている。
【０００９】
このように、プラグコネクタに回動可能とされた嵌合維持部材が備えられ、プラグコネクタがリセプタクルコネクタとの嵌合状態をとるとき、嵌合維持部材が、リセプタクルコネクタ側へと回動せしめられて、リセプタクル側導電性シェルに設けられたロック部に係合することにより、プラグコネクタのリセプタクルコネクタとの嵌合状態が安定に維持されることになる。また、その際、嵌合維持部材に設けられたカバー部が、複数のリセプタクル側コンタクトの夫々における、回路基板との接続部位である接続端子部を覆うものとされることにより、複数のリセプタクル側コンタクトの夫々における接続端子部に対する電磁シールド作用がもたらされることになる。
【先行技術文献】
【特許文献】
【００１０】
【特許文献１】特開２００９−１９９８９１号公報
【特許文献２】特開２０１１−２３８４１０号公報
【発明の概要】
【発明が解決しようとする課題】
【００１１】
上述のような、特許文献１に記載された従来提案されている、プラグコネクタとリセプタクルコネクタとを含んで構成され、複数のケーブルの回路基板に対する電気的連結に用いられるコネクタ装置であって、回路基板に配されるリセプタクル側絶縁ハウジングに配列配置された複数のリセプタクル側コンタクトが交互に配された複数の第１のコンタクトと複数の第２のコンタクトとを含んで成り、複数の第１のコンタクトの夫々の接続端子部及び複数の第２のコンタクトの夫々の接続端子部が、リセプタクル側絶縁ハウジングにおける相互対向端面部のうちの一方及び他方から夫々その外部に突出するものとされたものにあっては、複数のリセプタクル側コンタクトの夫々の接続端子部に対する電磁シールドの点においての不都合を伴っている。
【００１２】
即ち、複数のリセプタクル側コンタクトを構成する複数の第１のコンタクト及び複数の第２のコンタクトのうちの複数の第１のコンタクトの夫々の接続端子部については、それが、リセプタクル側絶縁ハウジングにおける、プラグコネクタの接続嵌合部が差し込まれる嵌合口部が設けられた端面部に対向する反対側の端面部からその外部に突出するものとされるので、例えば、リセプタクルコネクタに嵌合するプラグコネクタを、特許文献２に記載されたプラグコネクタのように、カバー部が設けられた嵌合維持部材が回動可能に備えられたものとすることにより、プラグコネクタがリセプタクルコネクタとの嵌合状態をとるもとにおいて、プラグコネクタにおける嵌合維持部材に設けられたカバー部によって覆われるものとし、それにより、プラグコネクタにおける嵌合維持部材に設けられたカバー部による電磁シールド作用がもたらされる状態におくことができる。しかしながら、複数のリセプタクル側コンタクトを構成する複数の第１のコンタクト及び複数の第２のコンタクトのうちの複数の第２のコンタクトの夫々の接続端子部については、たとえ、リセプタクルコネクタに嵌合するプラグコネクタを、特許文献２に記載されたプラグコネクタにように、カバー部が設けられた嵌合維持部材が回動可能に備えられたものとした場合にあっても、上述のような電磁シールド作用がもたらされる状態におくことができない。
【００１３】
なぜなら、複数の第２のコンタクトの夫々の接続端子部は、リセプタクル側絶縁ハウジングにおける、プラグコネクタの接続嵌合部が差し込まれる嵌合口部が設けられた端面部からその外部に突出するものとされるので、プラグコネクタがリセプタクルコネクタとの嵌合状態をとるもとにおいては、リセプタクル側絶縁ハウジングにおける嵌合口部に差し込まれたプラグコネクタの接続嵌合部が近接配置されるものとされて、プラグコネクタにおける嵌合維持部材に設けられたカバー部によって覆われるものとはされないからである。また、複数の第２のコンタクトの夫々の接続端子部の配置部位からして、プラグコネクタあるいはリセプタクルコネクタに、プラグコネクタがリセプタクルコネクタとの嵌合状態をとるもとにおいて複数の第２のコンタクトの夫々の接続端子部に電磁シールド作用を及ぼす附加導電性部材を配することも、困難であり、かつ、実用的ではない。それゆえ、複数の第２のコンタクトの夫々の接続端子部には、電磁シールド作用がもたらされず、例えば、複数の第２のコンタクトの夫々の接続端子部の周囲の隙間から不所望な電磁波が漏出してしまう虞がある。
【００１４】
斯かる点に鑑み、本願の特許請求の範囲に記載された発明は、複数のケーブルの回路基板に対する電気的連結に用いられる、複数のケーブルが装着されるプラグコネクタとそのプラグコネクタが嵌合するリセプタクルコネクタとを含んで構成され、リセプタクルコネクタが、一対の相互対向端面部の一方にプラグコネクタの接続嵌合部が差し込まれる嵌合口部が設けられて回路基板に配されるリセプタクル側絶縁ハウジングを備え、そのリセプタクル側絶縁ハウジングに配列配置された複数のリセプタクル側コンタクトが、交互に配された複数の第１のコンタクトと複数の第２のコンタクトとを含むものとされたもとで、複数の第１のコンタクトの各々の接続端子部がリセプタクル側絶縁ハウジングの相互対向端面部の一方からその外部に突出して回路基板に接続されるとともに、複数の第２のコンタクトの各々の接続端子部がリセプタクル側絶縁ハウジングの相互対向端面部の他方からその外部に突出して回路基板に接続されるものとされたコネクタ装置であって、全体の小型・薄型化が図られるもとにおいても、プラグコネクタがリセプタクルコネクタとの嵌合状態におかれた際において、複数のリセプタクル側コンタクトの夫々の接続端子部に対して効果的な電磁シールド作用をもたらすことができるものを提供する。
【課題を解決するための手段】
【００１５】
本願の特許請求の範囲における請求項１から請求項６までのいずれかに記載された発明（以下、本願発明という。）に係るコネクタ装置は、複数のケーブルが接続される複数のプラグ側コンタクトが配列配置された接続嵌合部を有したプラグ側絶縁ハウジング、及び、複数のプラグ側コンタクトにおける複数のケーブルが接続された部分を覆うプラグ側導電性シェルを備えたプラグコネクタと、一対の相互対向端面部を有していてそれらの一方にプラグコネクタの接続嵌合部が差し込まれる嵌合口部が設けられて回路基板に配されるリセプタクル側絶縁ハウジング，リセプタクル側絶縁ハウジングを部分的に覆って回路基板に接続されて接地電位が印加されるリセプタクル側導電性シェル、及び、リセプタクル側絶縁ハウジングに配列配置されて、嵌合口部を通じてリセプタクル側絶縁ハウジングに差し込まれたプラグコネクタの接続嵌合部に配された複数のプラグ側コンタクトに夫々押圧接触する複数のリセプタクル側コンタクトを備え、複数のリセプタクル側コンタクトが、各々がリセプタクル側絶縁ハウジングの相互対向端面部の一方からリセプタクル側絶縁ハウジングの外部に突出して回路基板に接続される第１の接続端子部を有するものとされた複数の第１のコンタクトと、各々がリセプタクル側絶縁ハウジングの相互対向端面部の他方からリセプタクル側絶縁ハウジングの外部に突出して回路基板に接続される第２の接続端子部を有するものとされた複数の第２のコンタクトを含んで成るものとされたリセプタクルコネクタと、を含んで構成され、リセプタクル側導電性シェルが、複数の第１のコンタクトが夫々有する複数の第１の接続端子部の配列の外方にそれを包囲して配されて、上記プラグコネクタの接続嵌合部がリセプタクル側絶縁ハウジングに嵌合口部を通じて差し込まれたとき、プラグ側導電性シェルに当接接触する端子シールド部を有することを特徴とするものとされる。
【００１６】
上述のような本願発明に係るコネクタ装置にあっては、回路基板に配されたリセプタクル側絶縁ハウジングを備えたリセプタクルコネクタが、リセプタクル側絶縁ハウジングに配列配置された複数のリセプタクル側コンタクトを成す交互に配された複数の第１のコンタクト及び複数の第２のコンタクトが、それらのうちの複数の第１のコンタクトが夫々有する複数の第１の接続端子部を、リセプタクル側絶縁ハウジングの相互対向端面部の一方からリセプタクル側絶縁ハウジングの外部に突出して回路基板に接続されるものとするとともに、それらのうちの複数の第２のコンタクトが夫々有する複数の第２の接続端子部を、リセプタクル側絶縁ハウジングの相互対向端面部の他方からリセプタクル側絶縁ハウジングの外部に突出して回路基板に接続されるものとし、リセプタクル側導電性シェルが有する端子シールド部が、複数の第１のコンタクトが夫々有する複数の第１の接続端子部の配列の外方にそれを包囲して配された状態におかれたもとで、プラグコネクタが備えるプラグ側絶縁ハウジングにおける複数のケーブルが夫々接続された複数のプラグ側コンタクトが配列配置された接続嵌合部が、リセプタクル側絶縁ハウジングの相互対向端面部の一方に設けられた嵌合口部に差し込まれて、プラグコネクタがリセプタクルコネクタとの嵌合状態をとる。このとき、複数の第１のコンタクトと複数の第２のコンタクトとを含んだ複数のリセプタクル側コンタクトが、複数のプラグ側コンタクトに夫々押圧接触し、複数のプラグ側コンタクトに夫々接続された複数のケーブルが、複数のプラグ側コンタクト及び複数のリセプタクル側コンタクトを通じて、回路基板に電気的に連結される。
【００１７】
それとともに、このとき、接地電位が印加されるリセプタクル側導電性シェルに設けられた端子シールド部が、複数の第１のコンタクトが夫々有する複数の第１の接続端子部の配列の外方にそれを包囲して配されたもとで、プラグコネクタが備える複数のプラグ側コンタクトにおける複数のケーブルが接続された部分を覆うプラグ側導電性シェルに当接接触する。このようにして、接地電位が印加されるリセプタクル側導電性シェルに設けられ、複数の第１の接続端子部の配列の外方にそれを包囲して配されて、プラグ側導電性シェルに当接接触する端子シールド部は、リセプタクルコネクタにおける複数の第１のコンタクトが夫々有する複数の第１の接続端子部に対する電磁シールド作用をもたらす。
【００１８】
特に、本願の特許請求の範囲における請求項６に記載された本願発明に係るコネクタ装置にあっては、プラグコネクタが、プラグ側導電性シェルに対して回動可能に設けられるとともに当該プラグ側導電性シェルに電気的に連結され、プラグコネクタの接続嵌合部がリセプタクル側絶縁ハウジングに嵌合口部を通じて差し込まれたとき、リセプタクル側導電性シェルに係合してプラグコネクタのリセプタクルコネクタとの嵌合状態を維持する嵌合維持部材を備え、当該嵌合維持部材が、リセプタクル側導電性シェルに係合したときリセプタクルコネクタに備えられた複数の第２のコンタクトが夫々有する複数の第２の接続端子部の配列を覆うカバー部を有するものとされる。そして、プラグコネクタが備える嵌合維持部材が有するカバー部は、嵌合維持部材がリセプタクル側導電性シェルに係合したとき、リセプタクルコネクタにおける複数の第２の接続端子部の配列を覆うものとされて、リセプタクルコネクタに備えられた複数の第２のコンタクトが夫々有する複数の第２の接続端子部に対する電磁シールド作用をもたらす。
【発明の効果】
【００１９】
本願発明に係るコネクタ装置においては、上述のように、回路基板に配されたリセプタクル側絶縁ハウジングを備えたリセプタクルコネクタが、複数の第１のコンタクトが夫々有する複数の第１の接続端子部を、リセプタクル側絶縁ハウジングの相互対向端面部の一方からリセプタクル側絶縁ハウジングの外部に突出して回路基板に接続されるものとするとともに、複数の第２のコンタクトが夫々有する複数の第２の接続端子部を、リセプタクル側絶縁ハウジングの相互対向端面部の他方からリセプタクル側絶縁ハウジングの外部に突出して回路基板に接続されるものとしたもとで、プラグコネクタが備えるプラグ側絶縁ハウジングにおける複数のケーブルが夫々接続された複数のプラグ側コンタクトが配列配置された接続嵌合部が、リセプタクル側絶縁ハウジングの相互対向端面部の一方に設けられた嵌合口部に差し込まれて、プラグコネクタがリセプタクルコネクタとの嵌合状態をとるとき、リセプタクルコネクタにおけるリセプタクル側導電性シェルが有する端子シールド部が、複数の第１のコンタクトが夫々有する複数の第１の接続端子部の配列の外方にそれを包囲して配されたもとで、プラグコネクタが備える複数のプラグ側コンタクトにおける複数のケーブルが接続された部分を覆うプラグ側導電性シェルに当接接触するものとされ、それにより、リセプタクルコネクタにおける複数の第１のコンタクトが夫々有する複数の第１の接続端子部に対する電磁シールド作用をもたらす。
【００２０】
従って、本願発明に係るコネクタ装置によれば、複数のケーブルが装着されるプラグコネクタとそのプラグコネクタが嵌合するリセプタクルコネクタとを含んで構成され、リセプタクルコネクタが、一対の相互対向端面部の一方にプラグコネクタの接続嵌合部が差し込まれる嵌合口部が設けられて回路基板に配されるリセプタクル側絶縁ハウジングを備え、そのリセプタクル側絶縁ハウジングに配列配置された複数のリセプタクル側コンタクトが、交互に配された複数の第１のコンタクトと複数の第２のコンタクトとを含むものとされたもとで、複数の第１のコンタクトの各々の第１の接続端子部がリセプタクル側絶縁ハウジングの相互対向端面部の一方からその外部に突出して回路基板に接続されるとともに、複数の第２のコンタクトの各々の第２の接続端子部がリセプタクル側絶縁ハウジングの相互対向端面部の他方からその外部に突出して回路基板に接続されるものとされて、全体の小型・薄型化が図られるもとにおいても、プラグコネクタがリセプタクルコネクタとの嵌合状態におかれた際において、複数の第１のコンタクトが夫々有する複数の第１の接続端子部に対して効果的な電磁シールド作用をもたらすことができることになる。
【００２１】
また、本願発明に係るコネクタ装置にあっては、プラグコネクタがリセプタクルコネクタとの嵌合状態におかれた際における、複数の第２のコンタクトが夫々有する複数の第２の接続端子部に対する電磁シールド作用については、例えば、プラグコネクタに設けられた嵌合維持部材が有するカバー部がもたらすものとすることができる。斯かる際には、本願の特許請求の範囲における請求項６に記載された本願発明に係るコネクタ装置の場合のように、プラグコネクタがリセプタクルコネクタとの嵌合状態におかれたもとで、プラグコネクタが備える嵌合維持部材が有するカバー部が、嵌合維持部材がリセプタクル側導電性シェルに係合したとき、リセプタクルコネクタにおける複数の第２の接続端子部の配列を覆うものとされ、それにより、リセプタクルコネクタに備えられた複数の第２のコンタクトが夫々有する複数の第２の接続端子部に対する電磁シールド作用をもたらすものとなる。
【図面の簡単な説明】
【００２２】
【図１】本願発明に係るコネクタ装置の一例を構成するプラグコネクタとリセプタクルコネクタとを、互いに分離され、プラグコネクタに複数のケーブルが装着された状態をもって示す斜視図である。
【図２】本願発明に係るコネクタ装置の一例を構成するプラグコネクタとリセプタクルコネクタとを、互いに分離され、プラグコネクタに複数のケーブルが装着された状態をもって示す平面図である。
【図３】本願発明に係るコネクタ装置の一例を構成するプラグコネクタとリセプタクルコネクタとを、互いに分離されたもとで、プラグコネクタに複数のケーブルが装着され、プラグコネクタから嵌合維持部材が取り去られた状態をもって示す斜視図である。
【図４】本願発明に係るコネクタ装置の一例を構成するリセプタクルコネクタをそれが備えるリセプタクル側導電性シェルが取り外された状態をもって示す斜視図である。
【図５】図２における V−V 線断面を示す断面図である。
【図６】図２におけるVI−VI線断面を示す断面図である。
【図７】本願発明に係るコネクタ装置の一例を構成するプラグコネクタとリセプタクルコネクタとの相互嵌合状態を、プラグコネクタに複数のケーブルが装着され、プラグコネクタが備える嵌合維持部材が第１の静止位置をとる状態をもって示す平面図である。
【図８】本願発明に係るコネクタ装置の一例を構成するプラグコネクタとリセプタクルコネクタとの相互嵌合状態を、プラグコネクタに複数のケーブルが装着され、プラグコネクタが備える嵌合維持部材が第１の静止位置をとる状態をもって示す側面図である。
【図９】本願発明に係るコネクタ装置の一例を構成するプラグコネクタとリセプタクルコネクタとの相互嵌合状態を、プラグコネクタに複数のケーブルが装着され、プラグコネクタが備える嵌合維持部材が第２の静止位置をとる状態をもって示す平面図である。
【図１０】図９における X−X 線断面を示す断面図である。
【図１１】図９におけるXI−XI線断面を示す断面図である。
【図１２】本願発明に係るコネクタ装置の一例を構成するプラグコネクタとリセプタクルコネクタとの相互嵌合状態を、リセプタクルコネクタが回路基板に取り付けられたもとで、プラグコネクタに複数のケーブルが装着され、プラグコネクタが備える嵌合維持部材が第２の静止位置をとる状態をもって示す斜視図である。
【発明を実施するための形態】
【００２３】
本願発明を実施するための形態は、以下に述べられる本願発明についての実施例をもって説明される。
【実施例】
【００２４】
図１（斜視図）及び図２（平面図）には、本願発明に係るコネクタ装置の一例を構成するプラグコネクタ１１及びリセプタクルコネクタ１２が、プラグコネクタ１１に複数のケーブル１３が装着された状態もって示されている。
【００２５】
プラグコネクタ１１は、合成樹脂等の絶縁材料によって形成されたプラグ側絶縁ハウジング１４と導電材料で形成されたプラグ側導電性シェル１５とプラグ側導電性シェル１５に対して回動可能とされて設けられた嵌合維持部材１６とを備えている。プラグ側絶縁ハウジング１４には、その長手方向（プラグコネクタ１１の長手方向（左右方向））に沿って、各々が導電材料で形成された複数のコンタクト１７と複数のコンタクト１８とが交互に配列配置されて設けられている。これらの交互に配列配置されたコンタクト１７及びコンタクト１８は、全体で、複数のプラグ側コンタクトを形成している。即ち、プラグ側絶縁ハウジング１４に配列配置された複数のプラグ側コンタクトが、複数のコンタクト１７と複数のコンタクト１８とを含むものとされているのである。そして、複数のコンタクト１７と複数のコンタクト１８とを含んだ複数のプラグ側コンタクトには、複数のケーブル１３が夫々接続されている。複数のケーブル１３の夫々は、例えば、図５等に図示されるように、コンタクト１７あるいはコンタクト１８に接続される中心導体，中心導体を被覆する誘電体，誘電体を包囲する外部導体、及び、外部導体を被覆する外皮から成る。外部導体は、複数のケーブル１３に共通に設けられたグランドバーを介して、後述されるプラグ側導電性シェル１５に接続される。
【００２６】
プラグ側絶縁ハウジング１４における複数のコンタクト１７と複数のコンタクト１８とを含んだ複数のプラグ側コンタクトが配列配置された部分１４ａは、プラグ側絶縁ハウジング１４の長手方向に伸びる板状部とされていて、接続嵌合部１９を形成している。接続嵌合部１９は、プラグコネクタ１１と共に本願発明に係るコネクタ装置の一例を構成するリセプタクルコネクタ１２における後述されるリセプタクル側絶縁ハウジング２０に、それに設けられた嵌合口部２１を通じて差し込まれ、それにより、プラグコネクタ１１とリセプタクルコネクタ１２との相互嵌合状態がとられる。
【００２７】
プラグ側導電性シェル１５は、プラグコネクタ１１を、それが備える嵌合維持部材１６を取り去ったものとして示す図３に示されるように、複数のプラグ側コンタクトにおける複数のケーブル１３が夫々接続された部分を、図３における上下方向において挟んで覆うものとされている。そして、プラグ側導電性シェル１５には、その長手方向（プラグコネクタ１１の長手方向（左右方向））における両端部に、複数のケーブル１３の配列を挟んで設けられた一対の突出部１５ａが形成されている。
【００２８】
プラグ側導電性シェル１５に、それに対して回動可能とされて設けられた嵌合維持部材１６は、例えば、図１に示されるように、金属製とされる棒状体が屈曲せしめられて形成された枠状部２２と、枠状部２２に取り付けられたカバー部２３とを有したものとされている。枠状部２２は、その両端部分がプラグ側導電性シェル１５における長手方向の両端部に形成された一対の突出部１５ａに夫々係合しており、それにより、嵌合維持部材１６の全体を、プラグ側導電性シェル１５に対して回動可能に支持している。また、カバー部２３は、導電性板状体によって形成され、複数の弾性接触片部２３ａ及び２３ｂが設けられていて、枠状部２２に固着されている。そして、嵌合維持部材１６は、プラグコネクタ１１における接続嵌合部１９が、リセプタクルコネクタ１２のリセプタクル側絶縁ハウジング２０に、それに設けられた嵌合口部２１を通じて差し込まれたとき、リセプタクルコネクタ１２における、リセプタクル側絶縁ハウジング２０を部分的に覆うリセプタクル側導電性シェル２４に係合し、それにより、プラグコネクタ１１のリセプタクルコネクタ１２との嵌合状態を維持する。
【００２９】
そして、嵌合維持部材１６は、図１，図２、さらには、図２における V−V 線断面及びVI−VI線断面を夫々示す図５及び図６に示されるような、プラグ側導電性シェル１５に対して起き上がった位置である第１の静止位置と、後述される図９〜図１１に示されるような、プラグ側導電性シェル１５に対して伏した位置である第２の静止位置とを選択的にとる。嵌合維持部材１６が、プラグコネクタ１１における接続嵌合部１９がリセプタクル側絶縁ハウジング２０にそれに設けられた嵌合口部２１を通じて差し込まれたもとでリセプタクル側導電性シェル２４に係合し、それにより、プラグコネクタ１１のリセプタクルコネクタ１２との嵌合状態を維持する状態をとるときには、当該嵌合維持部材１６は、第２の静止位置をとるものとされる。
【００３０】
また、プラグコネクタ１１と共に本願発明に係るコネクタ装置の一例を構成するリセプタクルコネクタ１２は、合成樹脂等の絶縁材料によって形成されたリセプタクル側絶縁ハウジング２０を備えている。リセプタクルコネクタ１２をそれが備えるリセプタクル側導電性シェル２４が取り外された状態をもって示す図４に示されるように、リセプタクル側絶縁ハウジング２０には、その相互対向端面部の一方に、前述のプラグコネクタ１１の接続嵌合部１９が差し込まれる嵌合口部２１が設けられており、嵌合口部２１からリセプタクル側絶縁ハウジング２０の内部へと接続嵌合部収容空間が伸びている。以下においては、リセプタクルコネクタ１２について、リセプタクル側絶縁ハウジング２０における嵌合口部２１が設けられた相互対向端面部の一方側を正面側とし、正面側の反対側となる相互対向端面部の他方側を背面側とし、正面側に向かって上側，下側，左側及び右側を、夫々、上，下，左及び右とする。リセプタクル側絶縁ハウジング２０は、例えば、後述される図１２に示される回路基板６０に配されて固定され、それにより、リセプタクルコネクタ１２の全体が回路基板６０に取り付けられたものとされる。
【００３１】
リセプタクル側絶縁ハウジング２０には、図２に示されるような、複数の第１のコンタクト２５と複数の第２のコンタクト２６とが交互に配列配置されて設けられている。これらの第１のコンタクト２５及び第２のコンタクト２６は、全体で、複数のリセプタクル側コンタクトを形成している。即ち、リセプタクル側絶縁ハウジング２０に配列配置された複数のリセプタクル側コンタクトが、複数の第１のコンタクト２５と複数の第２のコンタクト２６とを含むものとされているのである。図２に示されるように、複数の第１のコンタクト２５の夫々は、リセプタクル側絶縁ハウジング２０が配される回路基板６０に設けられた端子部に接続される第１の接続端子部２７を、リセプタクル側絶縁ハウジング２０の正面側端面部（相互対向端面部の一方）からリセプタクル側絶縁ハウジング２０の外部に突出させており、また、複数の第２のコンタクト２６の夫々は、リセプタクル側絶縁ハウジング２０が配される回路基板６０に設けられた端子部に接続される第２の接続端子部２８を、リセプタクル側絶縁ハウジング２０の背面側端面部（相互対向端面部の他方）からリセプタクル側絶縁ハウジング２０の外部に突出させている。それにより、リセプタクル側絶縁ハウジング２０の正面側端面部の外方には、第１の接続端子部２７の配列が形成されており、また、リセプタクル側絶縁ハウジング２０の背面側端面部の外方には、第２の接続端子部２８の配列が形成されていることになる。
【００３２】
複数の第１のコンタクト２５と複数の第２のコンタクト２６とを含んだ複数のリセプタクル側コンタクトは、プラグコネクタ１１の接続嵌合部１９がリセプタクル側絶縁ハウジング２０に設けられた嵌合口部２１を通じてリセプタクル側絶縁ハウジング２０に差し込まれたとき、リセプタクル側絶縁ハウジング２０に差し込まれたプラグコネクタ１１の接続嵌合部１９における複数のプラグ側コンタクトに夫々押圧接触する。その際、複数のリセプタクル側コンタクトに含まれる複数の第１のコンタクト２５が、複数のプラグ側コンタクトに含まれる複数のコンタクト１７に夫々押圧接触するとともに、複数のリセプタクル側コンタクトに含まれる複数の第２のコンタクト２６が、複数のプラグ側コンタクトに含まれる複数のコンタクト１８に夫々押圧接触する。それにより、リセプタクル側絶縁ハウジング２０に差し込まれたプラグコネクタ１１の接続嵌合部１９における複数のプラグ側コンタクトが、複数のリセプタクル側コンタクトを介して、リセプタクルコネクタ１２が取り付けられた回路基板６０に設けられた端子部に連結される。
【００３３】
また、リセプタクルコネクタ１２に備えられたリセプタクル側導電性シェル２４は、リセプタクル側絶縁ハウジング２０の正面側端面部における嵌合口部２１の周囲部分，背面側端面部及びその近傍の部分，左右方向の両側面部の一部分及び下面部の大部分を除いた残りの部分を覆うものとされている。即ち、リセプタクル側導電性シェル２４は、リセプタクル側絶縁ハウジング２０を部分的に覆っているのである。斯かるリセプタクル側導電性シェル２４には、リセプタクル側絶縁ハウジング２０の長手方向に沿って伸びて、リセプタクル側絶縁ハウジング２０の上方平坦部２９を覆う平板状部３０が設けられている。  
【００３４】
そして、リセプタクル側導電性シェル２４は、平板状部３０におけるその長手方向の両端部から夫々屈曲して下方に伸びる複数の基板接続部３２を有しており、複数の基板接続部３２の夫々は、リセプタクルコネクタ１２が取り付けられた回路基板６０に設けられた接地導体部に、例えば、半田付けにより接続されるものとされている。さらに、リセプタクル側導電性シェル２４は、平板状部３０におけるその長手方向の両端部から夫々屈曲して下方に伸びる一対の連結部３１によって支えられた、帯状を成す端子シールド部３３を有している。端子シールド部３３は、複数の第１のコンタクト２５が夫々有する複数の第１の接続端子部２７の配列の外方に複数の第１の接続端子部２７の配列を包囲して配されるものとされている。それにより、複数の第１の接続端子部２７及び複数の第２の接続端子部２８の夫々が、リセプタクル側絶縁ハウジング２０が配される回路基板６０に設けられた端子部に接続されるとともに、リセプタクル側導電性シェル２４の複数の基板接続部３２が回路基板６０に設けられた接地導体部に接続されたもとにあっては、端子シールド部３３が、回路基板６０上において、複数の第１の接続端子部２７の配列の外方において複数の第１の接続端子部２７の配列を包囲して配されることになる。
【００３５】
端子シールド部３３には、複数の凸部３４と複数の切欠き部を成す半田付け部３５が設けられている。複数の凸部３４は、プラグコネクタ１１の接続嵌合部１９がリセプタクル側絶縁ハウジング２０に設けられた嵌合口部２１を通じてリセプタクル側絶縁ハウジング２０に差し込まれたとき、プラグコネクタ１１が備えるプラグ側導電性シェル１５の、複数のプラグ側コンタクトにおける複数のケーブル１３が夫々接続された部分を覆う部分に押圧当接する。また、複数の半田付け部３５は、回路基板６０上に配された端子シールド部３３の回路基板６０に設けられた接地導体部に対する半田付け接続に供される。
【００３６】
図２における V−V 線断面を示す図５に示されるように、リセプタクルコネクタ１１における複数のリセプタクル側コンタクトに含まれる複数の第１のコンタクト２５の夫々は、二股状部を成す一対の上アーム部４１及び下アーム部４２を有している。上アーム部４１には、その先端部分に接点部４３が形成されており、また、下アーム部４２には、その中間部分に接点部４４が形成されているとともに、接点部４４を挟む両端部分に第１の接続端子部２７とリセプタクル側絶縁ハウジング２０により保持される係止部４６とが夫々形成されている。
【００３７】
斯かる複数の第１のコンタクト２５の夫々は、例えば、弾性を有した導電性板状部材に打抜き加工が施されて形成される。そして、下アーム部４２の一端部分に形成された接続端子部２７は、リセプタクルコネクタ１２の全体が回路基板６０に取り付けられるとき、当該回路基板６０における端子部に、例えば、半田付けされて電気的に接続される。
【００３８】
また、図２におけるVI−VI線断面を示す図６に示されるように、リセプタクルコネクタ１２における複数のリセプタクル側コンタクトに含まれる複数の第２のコンタクト２６の夫々も、二股状部を成す一対の上アーム部４７及び下アーム部４８を有している。上アーム部４７には、その先端部分に接点部４９が形成されており、また、下アーム部４８には、その両端部分に接点部５０と第２の接続端子部２８とが夫々形成されているとともに、中間部分にリセプタクル側絶縁ハウジング２０により保持される係止部５１が形成されている。
【００３９】
斯かる複数の第２のコンタクト２６の夫々も、例えば、弾性を有した導電性板状部材に打抜き加工が施されて形成される。そして、下アーム部４８の他端部分に形成された接続端子部２８は、リセプタクルコネクタ１２の全体が回路基板６０に取り付けられるとき、当該回路基板６０における端子部に、例えば、半田付けされて電気的に接続される。
【００４０】
図７（平面図）及び図８（側面図）は、複数のケーブル１３が装着されたプラグコネクタ１１が、それに備えられた嵌合維持部材１６が第１の静止位置をとる状態におかれたもとで、プラグコネクタ１１のプラグ側絶縁ハウジング１４における接続嵌合部１９（図２参照）が、リセプタクルコネクタ１２のリセプタクル側絶縁ハウジング２０に設けられた嵌合口部２１を通じてリセプタクル側絶縁ハウジング２０に差し込まれ、プラグコネクタ１１とリセプタクルコネクタ１２とが相互嵌合状態におかれた、本願発明に係るコネクタ装置の一例を示す。
【００４１】
プラグコネクタ１１における接続嵌合部１９がリセプタクルコネクタ１２のリセプタクル側絶縁ハウジング２０に設けられた嵌合口部２１を通じてリセプタクル側絶縁ハウジング２０に差し込まれたもとにあっては、後述される図１０に示されるように、プラグコネクタ１１における接続嵌合部１９が、リセプタクルコネクタ１２における複数の第１のコンタクト２５の夫々が有する二股状部を成す一対の上アーム部４１及び下アーム部４２によって挟まれる状態におかれる。そして、プラグコネクタ１１における接続嵌合部１９の上面側において、複数のコンタクト１７の夫々の受圧接触部５２に、それ対応する第１のコンタクト２５における上アーム部４１に形成された接点部４３が押圧当接するとともに、プラグコネクタ１１における接続嵌合部１９の下面側において、複数のコンタクト１７の夫々の受圧接触部５３に、それに対応する第１のコンタクト２５における下側アーム部４２に形成された接点部４４が押圧当接する。
【００４２】
また、プラグコネクタ１１における接続嵌合部１９がリセプタクルコネクタ１２のリセプタクル側絶縁ハウジング２０に設けられた嵌合口部２１を通じてリセプタクル側絶縁ハウジング２０に差し込まれたもとにあっては、後述される図１１に示されるように、プラグコネクタ１１における接続嵌合部１９が、リセプタクルコネクタ１２における複数の第２のコンタクト２６の夫々が有する二股状部を成す一対の上アーム部４７及び下アーム部４８によっても挟まれる状態におかれる。そして、プラグコネクタ１１における接続嵌合部１９の下面側において、複数のコンタクト１８の夫々の受圧接触部５４に、それに対応する第２のコンタクト２６における下アーム部４８に形成された接点部５０が押圧当接するとともに、プラグコネクタ１１における接続嵌合部１９の上面側において、複数のコンタクト１８の夫々における受圧接触部５５に、それに対応する第２のコンタクト２６における上アーム部４７に形成された接点部４９が押圧当接する。
【００４３】
さらに、プラグコネクタ１１における接続嵌合部１９がリセプタクルコネクタ１２のリセプタクル側絶縁ハウジング２０に設けられた嵌合口部２１を通じてリセプタクル側絶縁ハウジング２０に差し込まれたもとにあっては、リセプタクルコネクタ１２に備えられたリセプタクル側導電性シェル２４における端子シールド部３３が、それに設けられた複数の凸部３４（図２参照）を、プラグコネクタ１１に備えられたプラグ側導電性シェル１５における、複数のプラグ側コンタクトにおける複数のケーブル１３が夫々接続された部分を覆う部分に押圧当接させるものとされ、それにより、端子シールド部３３がプラグ側導電性シェル１５との電気的接続状態におかれる。
【００４４】
その後、上述のようにしてプラグコネクタ１１とリセプタクルコネクタ１２とが相互嵌合状態におかれたもとで、図９, 図９における X−X 線断面を示す図１０、及び、図９におけるXI−XI線断面を示す図１１に示されるように、プラグコネクタ１１に備えられた嵌合維持部材１６が第１の静止位置から第２の静止位置へと移行せしめられると、嵌合維持部材１６が、リセプタクルコネクタ１２におけるリセプタクル側導電性シェル２４に係合し、それにより、プラグコネクタ１１のリセプタクルコネクタ１２との嵌合状態を維持するものとされる。斯かる際にあっては、図１２に示されるように、リセプタクルコネクタ１２は、そのリセプタクル側絶縁ハウジング２０が回路基板６０に配されて、回路基板６０に取り付けられている。
【００４５】
回路基板６０に取り付けられたリセプタクルコネクタ１２にあっては、リセプタクル側導電性シェル２４における複数の基板接続部３２（図２参照）の夫々が、回路基板６０に設けられた接地導体部に、例えば、半田付けにより接続されていて、リセプタクル側導電性シェル２４に接地電位が印加されており、また、複数の第１のコンタクト２５の夫々における第１の接続端子部２７が、回路基板６０に設けられた端子部に接続されるとともに、複数の第２のコンタクト２６の夫々における第２の接続端子部２８が、回路基板６０に設けられた端子部に接続されており、リセプタクル側導電性シェル２４における端子シールド部３３が、回路基板６０上に、複数の第１の接続端子部２７の配列の外方において複数の第１の接続端子部２７の配列を包囲するものとして配されていて、それにおける複数の半田付け部３５において、回路基板６０に設けられた接地導体部に半田付け接続されている。
【００４６】
第２の静止位置へと移行せしめられて、リセプタクルコネクタ１２におけるリセプタクル側導電性シェル２４に係合し、プラグコネクタ１１のリセプタクルコネクタ１２との嵌合状態を維持するものとされたプラグコネクタ１１に備えられた嵌合維持部材１６にあっては、図１２に示されるように、カバー部２３が、リセプタクルコネクタ１２におけるリセプタクル側導電性シェル２４を全体的に覆うものとされる。そして、カバー部２３に設けられた複数の弾性接触片部２３ａの夫々が、プラグコネクタ１１におけるプラグ側導電性シェル１５に押圧接触して、プラグ側導電性シェル１５との電気的接続状態におかれるとともに、カバー部２３に設けられた複数の弾性接触片部２３ｂ（図１参照）の夫々が、リセプタクル側導電性シェル２４に押圧接触して、リセプタクル側導電性シェル２４との電気的接続状態におかれる。それにより、プラグ側導電性シェル１５及びカバー部２３を含めた嵌合維持部材１６に、リセプタクル側導電性シェル２４を介して接地電位が印加される。
【００４７】
このようにして、回路基板６０に取り付けられたリセプタクルコネクタ１２と複数のケーブル１３が装着されたプラグコネクタ１１とが相互嵌合状態におかれたもとにあっては、プラグコネクタ１１に装着された複数のケーブル１３が、プラグコネクタ１１における複数のコンタクト１７と複数のコンタクト１８とを含んだ複数のプラグ側コンタクト及びリセプタクルコネクタ１２における複数の第１のコンタクト２５及び複数の第２のコンタクト２６とを含んだ複数のリセプタクル側コンタクトを通じて、回路基板６０に設けられた端子部に連結されたものとされる。そして、斯かるもとで、リセプタクルコネクタ１２に備えられたリセプタクル側導電性シェル２４における端子シールド部３３（図１参照）は、回路基板６０上において、リセプタクルコネクタ１２における複数の第１のコンタクト２５が夫々有する複数の第１の接続端子部２７の配列を包囲して配され、プラグコネクタ１１に備えられたプラグ側導電性シェル１５との電気的接続状態におかれたもとで、接地電位が印加されるものとされることにより、リセプタクルコネクタ１２における複数の第１のコンタクト２５が夫々有する複数の第１の接続端子部２７に対して電磁シールド作用をもたらす。即ち、回路基板６０上に配された複数の第１の接続端子部２７が、リセプタクル側導電性シェル２４における端子シールド部３３による電磁シールド作用を受けて、外部からの電磁ノイズの導入あるいは外部への電磁ノイズの漏出が阻止されるものとされるのである。
【００４８】
また、回路基板６０上において、リセプタクルコネクタ１２における複数の第２のコンタクト２６が夫々有する複数の第２の接続端子部２８（図２参照）の配列は、リセプタクルコネクタ１２におけるリセプタクル側導電性シェル２４を全体的に覆うものとされた、プラグコネクタ１１に備えられた嵌合維持部材１６におけるカバー部２３によって覆われる。そして、カバー部２３を含めた嵌合維持部材１６には、リセプタクル側導電性シェル２４を介して接地電位が印加されるので、回路基板６０上に配された複数の第２の接続端子部２８が、嵌合維持部材１６におけるカバー部２３による電磁シールド作用を受けて、外部からの電磁ノイズの導入あるいは外部への電磁ノイズの漏出が阻止されるものとされる。
【００４９】
上述のように、プラグコネクタ１１とリセプタクルコネクタ１２とを含んで構成される本願発明に係るコネクタ装置の一例にあっては、回路基板６０に配されたリセプタクル側絶縁ハウジング２０を備えたリセプタクルコネクタ１２が、複数の第１のコンタクト２５が夫々有する複数の第１の接続端子部２７を、リセプタクル側絶縁ハウジング２０の正面側端面部（相互対向端面部のうちの一方）からリセプタクル側絶縁ハウジング２０の外部に突出して回路基板６０に接続されるものとするとともに、複数の第２のコンタクト２６が夫々有する複数の第２の接続端子部２８を、リセプタクル側絶縁ハウジング２０の背面側端面部（相互対向端面部のうちの他方）からリセプタクル側絶縁ハウジング２０の外部に突出して回路基板６０に接続されるものとしたもとで、プラグコネクタ１１が備えるプラグ側絶縁ハウジング１４における複数のケーブル１３が夫々接続された複数のプラグ側コンタクト（複数のコンタクト１７及び１８）が配列配置された接続嵌合部１９が、リセプタクル側絶縁ハウジング２０の正面側端面部に設けられた嵌合口部２１に差し込まれて、プラグコネクタ１１がリセプタクルコネクタ１２との嵌合状態をとるとき、リセプタクルコネクタ１２におけるリセプタクル側導電性シェル２４が有する端子シールド部３３が、複数の第１のコンタクト２５が夫々有する複数の第１の接続端子部２７の配列の外方にそれを包囲して配されたもとで、プラグコネクタ１１が備える複数のプラグ側コンタクトにおける複数のケーブル１３が接続された部分を覆うプラグ側導電性シェル１５に当接接触するものとされ、それにより、リセプタクルコネクタ１２における複数の第１のコンタクト２５が夫々有する複数の第１の接続端子部２７に対する電磁シールド作用をもたらす。
【００５０】
従って、上述の本願発明に係るコネクタ装置の一例によれば、複数のケーブル１３が装着されるプラグコネクタ１１とそのプラグコネクタ１１が嵌合するリセプタクルコネクタ１２とを含んで構成され、リセプタクルコネクタ１２が、正面側端面部にプラグコネクタ１１における接続嵌合部１９が差し込まれる嵌合口部２１が設けられて回路基板６０に配されるリセプタクル側絶縁ハウジング２０を備え、そのリセプタクル側絶縁ハウジング２０に配列配置された複数のリセプタクル側コンタクトが、交互に配された複数の第１のコンタクト２５と複数の第２のコンタクト２６とを含むものとされたもとで、複数の第１のコンタクト２５の各々の第１の接続端子部２７がリセプタクル側絶縁ハウジング２０の正面側端面部からその外部に突出して回路基板６０に接続されるとともに、複数の第２のコンタクト２６の各々の第２の接続端子部２８がリセプタクル側絶縁ハウジング２０の背面側端面部からその外部に突出して回路基板６０に接続されるものとされて、全体の小型・薄型化が図られるもとにおいても、プラグコネクタ１１がリセプタクルコネクタ１２との嵌合状態におかれた際において、複数の第１のコンタクト２５が夫々有する複数の第１の接続端子部２７に対して効果的な電磁シールド作用をもたらすことができることになる。
【００５１】
また、本願発明に係るコネクタ装置の一例にあっては、プラグコネクタ１１がリセプタクルコネクタ１２との嵌合状態におかれた際における、複数の第２のコンタクト２６が夫々有する複数の第２の接続端子部２８に対する電磁シールド作用については、プラグコネクタ１１に設けられた嵌合維持部材１６が有するカバー部２３がもたらすものとすることができる。斯かる際には、プラグコネクタ１１がリセプタクルコネクタ１２との嵌合状態におかれたもとで、プラグコネクタ１１が備える嵌合維持部材１６が有するカバー部２３が、嵌合維持部材１６がリセプタクル側導電性シェル２４に係合したとき、リセプタクルコネクタ１２における複数の第２の接続端子部２８の配列を覆うものとされ、それにより、リセプタクルコネクタ１２に備えられた複数の第２のコンタクト２６が夫々有する複数の第２の接続端子部２８に対する電磁シールド作用をもたらすものとなる。
【産業上の利用可能性】
【００５２】
以上のような本願発明に係るコネクタ装置は、複数のケーブルが装着されるプラグコネクタとそのプラグコネクタが嵌合するリセプタクルコネクタとを含んで構成され、リセプタクルコネクタが、一対の相互対向端面部の一方にプラグコネクタの接続嵌合部が差し込まれる嵌合口部が設けられて回路基板に配されるリセプタクル側絶縁ハウジングを備え、そのリセプタクル側絶縁ハウジングに配列配置された複数のリセプタクル側コンタクトが、交互に配された複数の第１のコンタクトと複数の第２のコンタクトとを含むものとされたもとで、複数の第１のコンタクトの各々の接続端子部がリセプタクル側絶縁ハウジングの相互対向端面部の一方からその外部に突出して回路基板に接続されるとともに、複数の第２のコンタクトの各々の接続端子部がリセプタクル側絶縁ハウジングの相互対向端面部の他方からその外部に突出して回路基板に接続されるものとされて、全体の小型・薄型化が図られるもとにおいても、プラグコネクタがリセプタクルコネクタとの嵌合状態におかれた際において、複数のリセプタクル側コンタクトの夫々の接続端子部に対して効果的な電磁シールド作用をもたらすことができるものとして、様々な電子機器等に広く適用され得るものである。
【符号の説明】
【００５３】
１１・・・プラグコネクタ，    １２・・・リセプタクルコネクタ，  １３・・・ケーブル，  １４・・・プラグ側絶縁ハウジング，  １５・・・プラグ側導電性シェル，  １６・・・嵌合維持部材，  １７，１８・・・コンタクト,   １９・・・接続嵌合部，  ２０・・・リセプタクル側絶縁ハウジング，  ２１・・・嵌合口部，  ２２・・・枠状部，  ２３・・・カバー部，  ２４・・・リセプタクル側導電性シェル，  ２５・・・第１のコンタクト，  ２６・・・第２のコンタクト，  ２７・・・第１の接続端子部，  ２８・・・第２の接続端子部，  ２９・・・上方平坦部，  ３０・・・平板状部，  ３１・・・連結部，  ３２・・・基板接続部，  ３３・・・端子シールド部，  ３４・・・凸部，  ３５・・・半田付け部，  ４１，４７・・・上アーム部，  ４２，４８・・・下アーム部，  ４３，４４，４９，５０・・・接点部，  ４６，５１・・・係止部，  ５２，５３，５４，５５・・・受圧接触部  ６０・・・回路基板
【図１】
2018181701.tif 000003
【図２】
2018181701.tif 000004
【図３】
2018181701.tif 000005
【図４】
2018181701.tif 000006
【図５】
2018181701.tif 000007
【図６】
2018181701.tif 000008
【図７】
2018181701.tif 000009
【図８】
2018181701.tif 000010
【図９】
2018181701.tif 000011
【図１０】
2018181701.tif 000012
【図１１】
2018181701.tif 000013
【図１２】
2018181701.tif 000014